(57)【特許請求の範囲】
【請求項１】
内部に厨芥物が貯留される内側ドラムと、該内側ドラムを内包する外側ドラムとが、内外２重に配置されて車体枠上に車体前後方向へ延びる軸芯回りに互いに相対回転可能に搭載され、
上記内側ドラムの後端には、そのほぼ上下全域に亘って開口する後方開口部が形成され、
上記外側ドラムの後端には、厨芥物を出し入れする入出口部が形成され、該入出口部は、上記内側ドラムに対する外側ドラムの回転により、上記内側ドラムの後方開口部を経て該内側ドラム内に厨芥物を投入可能とする上側位置と、内側ドラム内から後方開口部を経て厨芥物を排出可能とする下側位置とに位置付けられ、その上側位置では上記軸芯を通る水平面よりも上方にて開口する一方、下側位置では上記水平面よりも下方にて開口するようになっており、
上記内側ドラムの内周壁部には、軸芯方向に亘って螺旋状に延びるブレードが設けられ、該ブレードは、上記入出口部を下側位置に位置付けた状態での外側ドラムに対する内側ドラムの回転により、内側ドラム内の厨芥物を後方開口部から入出口部を経て外側ドラムよりも外方に排出するようになっており、
上記外側ドラムの後方にはダストコンテナ反転装置が設けられ、該ダストコンテナ反転装置は、上記外側ドラムの入出口部を上側位置に位置付けた状態で、ダストコンテナを反転させることにより入出口部より後方開口部を経て内側ドラム内に厨芥物を投入するようになっていることを特徴とする厨芥物回収車両。
【請求項２】
上記外側ドラムの周面には開口部が形成され、該開口部は、外側ドラムの入出口部を上側位置に位置付けた際には上記水平面よりも上方にて開口する一方、外側ドラムの入出口部を下側位置に位置付けた際には上記水平面よりも下方にて開口するようになっており、
該開口部は、脱着可能な蓋により密閉されている請求項１記載の厨芥物回収車両。
【発明の詳細な説明】
【０００１】
【発明の属する技術分野】
本発明は、生ごみなど水分を多量に含む厨芥物を回収する厨芥物回収車両に関し、特に、厨芥物中の水分の漏れ出しを防止する対策に係る。
【０００２】
【従来の技術】
一般に、塵芥収集車において塵芥を回収する場合、その塵芥が家庭用のゴミなどのように多量の水分を含んでいるものであると、塵芥収集車に積み込んだ際に家庭用ゴミ中の水分が漏れ出て道路に撒き散らされることになる。
【０００３】
そのため、従来、家庭用のゴミを回収する車両としては、例えば特開平３−１５２００１号公報に開示されるように、内部に家庭用のゴミが貯留されるドラムがその軸芯を車体前後方向へ延ばした状態で車体枠上に搭載されたものがあり、家庭用のゴミ中の水分をドラム内に蓄えてドラム外に漏れ出さないようにしている。このドラムの周面上部位置には家庭用ゴミなどを投入する投入口部が設けられており、ゴミかご内に蓄えられた家庭用ゴミをドラム内に投入する場合には、ゴミかごを、ゴミかご反転装置により上方に持ち上げながら回転させ、ゴミかごがドラム上方に移動したときに反転姿勢でその開口部をドラムの投入口部に臨ませ、ゴミかご内の家庭用ゴミを上記投入口部を経てドラム内に投入するようにしている。また、ドラムの後端には、その上下全域に亘ってほぼ真円形状に開口する排出口部が設けられ、該排出口部は蓋により開閉可能に閉塞されており、ドラム内に貯留した家庭用ゴミを排出する際に、この蓋を開放させることで、ドラム内の家庭用ゴミが排出されるようになっている。
【０００４】
【発明が解決しようとする課題】
ところが、上記従来の家庭用ゴミなどの厨芥物を回収する厨芥物回収車両では、そのドラム内において厨芥物の水分を貯留する上では有効であるが、厨芥物の排出時に蓋を開放させて排出後部を開口するだけではドラム内の厨芥物を円滑に排出することができず、奥の方に残った厨芥物は手作業などにより掻き出して排出するしかなく、その作業が非常に煩わしいものであった。
【０００５】
また、ドラム後端の排出口部が蓋により閉塞されてはいるものの、この排出口部は、ドラム後端の上下全域に亘って開口しているため、その排出口部周縁において蓋との間でシールするパッキンなどの経時的な劣化に伴い厨芥物中の水分が排出口部より漏れ出す恐れもあり、厨芥中の水分をドラム外に漏れ出させないようにする対策が切望されていた。
【０００６】
本発明はかかる点に鑑みてなされたもので、その目的とするところは、ドラムの構造を改良し、ドラム内からの厨芥物の排出が円滑に行えるようにするとともに、ドラムからの厨芥物中の水分の漏れ出しを確実に防止せんとするものである。
【０００７】
【課題を解決するための手段】
上記目的を達成するため、請求項１記載の発明が講じた解決手段は、厨芥物回収車両として、内部に厨芥物が貯留される内側ドラムと、該内側ドラムを内包する外側ドラムとを、内外２重に配置されて車体枠上に車体前後方向へ延びる軸芯回りに互いに相対回転可能に搭載し、上記内側ドラムの後端に、そのほぼ上下全域に亘って開口する後方開口部を形成する。
【０００８】
そして、上記外側ドラムの後端に、厨芥物を出し入れする入出口部を形成し、該入出口部を、上記内側ドラムに対する外側ドラムの回転により、上記内側ドラムの後方開口部を経て該内側ドラム内に厨芥物を投入可能とする上側位置と、内側ドラム内から後方開口部を経て厨芥物を排出可能とする下側位置とに位置付け、その上側位置で上記軸芯を通る水平面よりも上方にて開口させる一方、下側位置で上記水平面よりも下方にて開口させるようにする。
【０００９】
さらに、上記内側ドラムの内周壁部に、軸芯方向に亘って螺旋状に延びるブレードを設け、該ブレードを、上記入出口部を下側位置に位置付けた状態での外側ドラムに対する内側ドラムの回転により、内側ドラム内の厨芥物を後方開口部から入出口部を経て外側ドラムよりも外方に排出させるように構成する。
【００１０】
また、上記外側ドラムの後方にダストコンテナ反転装置を設け、該ダストコンテナ反転装置を、上記外側ドラムの入出口部を上側位置に位置付けた状態で、ダストコンテナを反転させることにより入出口部より後方開口部を経て内側ドラム内に厨芥物を投入するように構成したものである。
【００１１】
これにより、請求項１記載の発明では、家庭用ゴミなど水分を多量に含む厨芥物をドラム内に投入して回収する場合、内側ドラムに対して外側ドラムを相対回転させて、外側ドラムの入出口部を上側位置に位置付けておく。この状態で、ダストコンテナ反転装置により、厨芥物を蓄えたダストコンテナが反転されて、そのダストコンテナ内の厨芥物が、外側ドラムの入出口部より後方開口部を経て内側ドラム内に投入される。このとき、外側ドラムの入出口部が、その軸芯を通る水平面よりも上方にて開口していることにより、内側ドラムの後方開口部の下側開口部分が外側ドラムの水平面よりも下方に位置する後端部分によって塞がれる。そのため、ドラム後端の排出口部がその上下全域に亘って開口するもののように、この排出口部周縁と蓋との間のパッキンなどが経時的に劣化するなどの理由により厨芥物中の水分が排出口部からドラム外に漏れ出すことが確実に防止され、厨芥物中の水分が外側ドラム内に円滑に貯留される。しかも、厨芥物回収時に外側ドラムの入出口部が上方にて開口していることにより、水分を含んだ厨芥が内側ドラム内に多量に貯留される。
【００１２】
一方、ドラム内に貯留した厨芥物を排出する場合、内側ドラムに対して外側ドラムを相対回転させて、入出口部を、外側ドラムの軸芯を通る水平面よりも下方にて開口するように下側位置に位置付ける。この状態で、外側ドラムに対して内側ドラムを回転させることにより、内側ドラム内の厨芥物がブレードで案内されて、後方開口部から入出口部を経て外側ドラムよりも外方に円滑に排出される。このため、厨芥物の排出時に内側ドラムの奥の方に厨芥物が残ることがなく、ドラム内から厨芥物を掻き出す手作業が廃止される。さらに、厨芥物の排出時に下側位置に位置付けられる入出口部より厨芥物の排出作業が低所にて安全かつ効率良く行える。
【００１３】
しかも、外側ドラムの入出口部が、厨芥物の排出時にのみ下側位置に位置付けられることにより、ドラム後端においてその上下全域に亘って開口する排出口部がパッキンを介して蓋により閉塞されるもののように、入出口部に蓋やパッキンなどの不要な構成部材を設ける必要がない。
【００１４】
請求項２記載の発明が講じた解決手段は、請求項１記載の発明の構成要件に加えて、外側ドラムの周面に開口部を形成し、該開口部を、外側ドラムの入出口部を上側位置に位置付けた際に水平面よりも上方にて開口させる一方、外側ドラムの入出口部を下側位置に位置付けた際に水平面よりも下方にて開口させるように構成する。さらに、上記開口部を、脱着可能な蓋により密閉する構成としたものである。
【００１５】
これにより、請求項２記載の発明では、入出口部を下側位置に位置付けた際に水平面よりも下方に位置する開口部から蓋を外して該開口部を開口させることで、内側ドラムと外側ドラムとの間に後方開口部を経て浸入している厨芥物が効果的に除去される。しかも、開口部を開口させた状態で、外側ドラムを内側ドラムに対して相対回転させることで、内側ドラムの外周面および外側ドラムの内周面の清掃が円滑に行われる。また、開口部は、入出口部を上側位置に位置付けた際に水平面よりも上方に位置するので、この開口部周囲と蓋との間をシールするパッキンなどの経時的な劣化によって厨芥物回収時などに厨芥物中の水分が開口部から外側ドラム外に漏れ出すことが確実に防止される。
【００１６】
【発明の実施の形態】
以下、本発明の実施の形態を図面に基づいて説明する。
【００１７】
図１ないし図４は本発明の実施の形態に係る厨芥物回収車両を示し、この厨芥物回収車両１は、その下部左右位置に車体前後方向へ延びる車体枠としてのシャーシフレーム２を備えている。このシャーシフレーム２上には、その前部にキャビン３が、後部に車台４がそれぞれ設けられている。該車台４は、キャビン３の左右方向の幅と略一致し、かつキャビン３後端からのシャーシフレーム２後部の長さと略一致する寸法の板状物よりなる。
【００１８】
上記車台４上には、家庭用ゴミなど水分を多量に含む厨芥物を内部に貯留する内側ドラム１１と、該内側ドラム１１を内包する外側ドラム１２とが内外２重に配置され、該両ドラム１１，１２は、車体前後方向に延びる軸芯ｍ回りに互いに相対回転可能に支持されている。上記外側ドラム１２の外周面の前後両端部には、その周方向全域に亘って敷設された帯状のレール１３がそれぞれ取り付けられている。この各レール１３に対応する車台４の前後両位置には、外側ドラム１２を挟んで左右に対峙する一対のローラ１４が受部材１５を介して回動自在に支持されている。また、上記外側ドラム１２の軸芯ｍ方向略中央部には、その周方向全域に亘って敷設された帯状のラック１６が取り付けられている。上記ラック１６に対応する車台４の中央部左側部には第１モータ１７が設けられ、この第１モータ１７の出力軸１７ａには、ラック１６に噛合するピニオンギヤ１８が固着されている。そして、上記第１モータ１７の駆動時、ピニオンギヤ１８の駆動力がラック１６に伝達され、外側ドラム１２が各レール１３を介してローラ１４上において回転するようになっている。また、上記車台４には、その車体中心線上において円弧状に下方へ凹む凹部４ａが設けられ、この凹部４ａによって外側ドラム１２と車台４との干渉が回避されるようになっている。
【００１９】
一方、上記内側ドラム１１には、その前後両端面より軸芯ｍ上をそれぞれ外方（前方又は後方）へ延びる軸２１ａ，２１ｂが設けられている。該各軸２１ａ，２１ｂは、上記外側ドラム１２の前後両端面をそれぞれ貫通し、車台４の前後両端に立設された門型フレーム２２に軸受２３を介して回転自在に支持されている。上記各軸２１ａ，２１ｂのうち、前側の軸２１ａは、軸受２３よりも前方（キャビン３側）に延出され、その延出端（前端）に大径な従動スプロケット２４が回転一体に連結されている。上記前側の門型フレーム２２内に位置する車台４前端部中央位置には第２モータ２５が設けられ、この第２モータ２５の出力軸２５ａには小径な駆動スプロケット２６が固着されている。上記駆動スプロケット２６と従動スプロケット２４との間にはエンドレスチェーン２７が巻き掛けられ、駆動スプロケット２６の回転力が従動スプロケット２４に減速された状態で伝達されるようになっている。そして、上記第２モータ２５の駆動時、駆動スプロケット２６の駆動力（回転力）がエンドレスチェーン２７を介して従動スプロケット２４に伝達され、この駆動力により軸２１ａを回転させることで、内側ドラム１１が回転するようになっている。この場合、内側ドラム１１は、外側ドラム１２に対して軸芯ｍ方向に短尺に形成されていると共に半径方向に所定の間隙Ｚを存して小径に形成されている。また、内側ドラム１１と外側ドラム１２とは互いに相対回転可能となっている。
【００２０】
また、上記外側ドラム１２の後面には、その軸芯ｍを中心とする略半円弧状の入出口部３１が設けられている。該入出口部３１は、上記内側ドラム１１に対する外側ドラム１２のみの回転により、外側ドラム１２を経て内側ドラム１１内に厨芥物を投入可能とする上側位置（図１に示す位置）と、内側ドラム１１から外側ドラム１２を経て厨芥物を排出可能とする下側位置（図３に示す位置）とに位置付けられるようになっている。つまり、入出口部３１は、上側位置に位置付けられているときには両ドラム１１，１２の軸芯ｍを通る水平面Ｘよりも上方において開口する一方、下側位置に位置付けられているときには上記水平面Ｘよりも下方において開口するようになっている。
【００２１】
一方、上記内側ドラム１１の後面には、その軸芯ｍを中心にして半径方向に放射線状に延びる複数のフランジ（図示せず）を存して上下全域に亘ってほぼ真円形状に開口する後方開口部３２が設けられ、該後方開口部３２により内側ドラム１１が車体後方に開口するようになっている。上記内側ドラム１１の後側の軸２１ｂは、上記各フランジにより支持されている。上記後方開口部３２は、上記入出口部３１が上側位置に位置付けられている際にはその上側開口部分のみが入出口部３１を経て水平面Ｘよりも上方で開口し、かつ下側開口部分が外側ドラム１２の後面により遮蔽されている。一方、上記入出口部３１が下側位置に位置付けられている際にはその下側開口部分のみが入出口部３１を経て水平面Ｘよりも下方で開口し、かつ上側開口部分が外側ドラム１２の後面により遮蔽されている。
【００２２】
さらに、上記内側ドラム１１の内周壁には、その軸芯ｍ方向全域に亘って螺旋状に延びるブレード３３が設けられている。そして、上記ブレード３３は、上記入出口部３１を下側位置に位置付けた状態での外側ドラム１２に対する内側ドラム１１のみの所定方向への回転時に、その内側ドラム１１内の厨芥物を後方開口部３２から入出口部３１を経て外側ドラム１２よりも外方（後方）に排出するように構成されている。
【００２３】
また、上記外側ドラム１２の後方つまり車台４の後端には、ダストコンテナ反転装置４１が装備されている。該ダストコンテナ反転装置４１は、図５において詳示するように、ダストコンテナＣを固縛するロック装置４２と、該ロック装置４２により固縛されたダストコンテナＣを、上側位置に位置付けた外側ドラム１２の入出口部３１にダストコンテナＣの開口部Ｃａが臨むように反転させながら持ち上げるリフト反転装置４４とを有している。
【００２４】
上記ロック装置４２は、ダストコンテナＣの一側面（図５に示す二点鎖線では左側面）を支持する支持プレート５１と、該支持プレート５１に設けられた上下一対の固縛具５２とを備えている。該固縛具５２は、ダストコンテナＣの一側面の左右両側に隣接する隣接面の一側（図５に示す二点鎖線では左側）より突出する突出ピンＣｂを上下双方から挟み込んで固縛するように構成されている。
【００２５】
一方、上記リフト反転装置４４は、車台４の後端左右両位置を上下方向に延びる支柱６１に沿って上下方向に昇降移動するスライダ６２を備えている。上記支柱６１は、互いに向き合う内側面に上下方向へ延びるスリット６１ａを有して断面略Ｃ字状に形成され、その内部に上記スライダ６２が摺動自在に嵌挿されている。上記スライダ６２には車体内方向に突出する上下一対のピン６３ａ，６３ｂが設けられ、この両ピン６３ａ，６３ｂが、支柱６１のスリット６１ａを介してそれぞれ内方に突出している。そして、上記スライダ６２は、図示しないが、正逆回転可能なモータの出力軸にチェーンを介して駆動連結され、このモータの正回転時にはスライダ６２が支柱６１に沿って上方位置（図５に実線で示す位置）まで上昇移動する一方、モータの逆回転時にはスライダ６２が下方位置（図５に二点鎖線で示す位置）まで下降移動するようになっている。上記両支柱６１間には、上記支持プレート５１の上端より斜め前方上向きに延びるアーム６４が設けられ、該アーム６４の略中央部が上記上側のピン６３ａに回動自在に支持されている。また、上記アーム６４の先端にはピン６７が突設され、このピン６７と上記下側のピン６３ｂとの間には、伸縮シリンダ６５が連携されている。そして、上記ダストコンテナＣは、ロック装置４２により固縛した状態で伸縮シリンダ６５を伸縮動作すると、上側のピン６３ａ回りにアーム６４が回動して起立状態（図５に二点鎖線で示す状態）と反転状態（図５に実線で示す状態）との間で揺動するようになっている。つまり、ダストコンテナＣは、伸縮シリンダ６５の伸長時には、その開口部Ｃａを上方に開口させた起立状態に保持される一方、伸縮シリンダ６５の収縮時には、上側位置に位置付けた外側ドラム１２の入出口部３１に開口部Ｃａが臨むよう反転状態に保持されるようになっている。
【００２６】
上記支持プレート５１には、ダストコンテナＣの反転時に外側ドラム１２の入出口部３１下縁を経て内側ドラム１１の後方開口部３２内に自重で突出するスライド板６６が出没可能に設けられ、伸縮シリンダ６５を収縮させたダストコンテナＣの反転時にその開口部Ｃａより落下する厨芥物を案内して外側ドラム１２の入出口部３１を経て内側ドラム１１の後方開口部３２内に確実に導くようにしている。このスライド板６６は、伸縮シリンダ６５を伸長させたダストコンテナＣの起立状態では、支持プレート５１側に自重で没入するようになっている。
【００２７】
また、上記外側ドラム１２の周面部左側の前後両位置には、上記入出口部３１を上側位置に位置付けた際に上記水平面Ｘよりも上方にて開口しかつ入出口部３１を下側位置に位置付けた際に上記水平面Ｘよりも下方にて開口する矩形状の開口部７１が設けられている。該開口部７１は、脱着可能な蓋７２により密閉されている。
【００２８】
次に、厨芥物回収車両１による厨芥物の回収動作、および厨芥物の排出動作について説明する。この場合、厨芥物回収車両１は、厨芥物の排出動作を完了して外側ドラム１２の入出口部３１および開口部７１が下側位置に位置している状態であるものとする。
【００２９】
先ず、厨芥物を回収する場合、外側ドラム１２の開口部７１を蓋７２により密閉する。次いで、第１モータ１７を駆動させ、この第１モータ１７の駆動力をピニオンギヤ１８を介してラック１６に伝達し、ローラ１４によりレール１３を介して外側ドラム１２のみを内側ドラム１１に対して相対回転させて、入出口部３１および開口部７１を上側位置（図１に示す位置）に位置付ける。このとき、ダストコンテナ反転装置４１は、スライダ６２を下方位置（図５に二点鎖線で示す位置）に位置付けて邪魔とならない状態に保持される。
【００３０】
そして、ダストコンテナＣの回収場所まで厨芥物回収車両１を運行し、この回収場所において、ダストコンテナＣを、ロック装置４２の支持プレート５１により一側面を支持した状態で、その突出ピンＣｂを固縛具５２により上下双方から挟み込んでダストコンテナ反転装置４１に固縛する。その後、リフト反転装置４４のモータを正回転させてスライダ６２を下方位置から上方位置（図５に実線で示す位置）まで支柱６１に沿って上昇移動させ、このスライダ６２が上方位置に位置付けられたときに、伸縮シリンダ６５を収縮させてアーム６４を上側のピン６３ａ回りに反時計方向へ回転させ、ダストコンテナＣを外側ドラム１２の入出口部３１に開口部Ｃａが臨むように反転させる（図５に実線で示す状態）。このダストコンテナＣの反転に伴い、支持プレート５１に対してスライド板６６が自重により外側ドラム１２の入出口部３１下縁に向かって突出し、ダストコンテナＣの反転により開口部Ｃａより落下する厨芥物を案内して外側ドラム１２の入出口部３１から後方開口部３２を経て内側ドラム１１内に確実に投入する。
【００３１】
その後、ダストコンテナＣ内の厨芥物の投入が完了すると、伸縮シリンダ６５を伸長させてアーム６４を上側のピン６３ａ回りに時計方向へ回転させ、ダストコンテナＣを開口部Ｃａが上方に開口するように起立させる（図５に実線で示す状態）。このダストコンテナＣの起立に伴い、支持プレート５１に対してスライド板６６が自重により没入し、ダストコンテナＣの昇降に邪魔にならないようにしている。それから、リフト反転装置４４のモータを逆回転させてスライダ６２を上方位置から下方位置まで支柱６１に沿って下降移動させ、このスライダ６２が下方位置に位置付けられたときに、固縛具５２による突出ピンＣｂの上下双方からの挟み込みを解除するとともに、支持プレート５１による一側面の支持を解除し、ダストコンテナ反転装置４１によるダストコンテナＣの固縛を解除する。その後、全てのダストコンテナＣ内の厨芥物の投入が終了するまで、他のダストコンテナＣ内の厨芥物を同様にダストコンテナ反転装置４１により外側ドラムの入出口部３１から後方開口部３２を経て内側ドラム１１内に順次投入することを繰り返す。
【００３２】
これにより、家庭用ゴミなど水分を多量に含む厨芥物を内側ドラム１１内に入出口部３１を経て投入する場合には、この入出口部３１が、その軸芯ｍを通る水平面Ｘよりも上方にて開口していることにより、内側ドラム１１の上側開口部分のみが入出口部３１を経て後方に開口し、内側ドラム１１の後方開口部３２の下側部分が外側ドラム１２の水平面Ｘよりも下方に位置する後面によって遮蔽される。そのため、ドラム後側の排出口部がその上下全域に亘って開口するもののように、この排出口部周縁と蓋との間のパッキンなどが経時的に劣化するなどの理由により厨芥物中の水分が外側ドラム１２外に漏れ出すことが確実に防止され、厨芥物中の水分を外側ドラム１２内に円滑に貯留することができる。しかも、厨芥物回収時に外側ドラム１２の入出口部３１が上方にて開口していることにより、水分を含んだ厨芥物を内側ドラム１１内に多量に貯留することができる。
【００３３】
一方、厨芥物を排出する場合、図示しない厨芥物処理場のピットに対して後向きに厨芥物回収車両１を停止させ、この状態で、リフト反転装置４４のモータを正回転させてスライダ６２を上方位置まで上昇移動させると共に、伸縮シリンダ６５を伸長させた状態のままに保持して、ダストコンテナ反転装置４１を支柱６１の上部に位置付け、厨芥物の排出に邪魔にならないようにしておく。次いで、第１モータ１７を駆動させ、この第１モータ１７の駆動力をピニオンギヤ１８を介してラック１６に伝達し、ローラ１４によりレール１３を介して外側ドラム１２のみを内側ドラム１１に対して相対回転させて、入出口部３１および開口部７１を下側位置（図３に示す位置）に位置付ける。このとき、入出口部３１の下側開口部分が後方開口部３２を経て水平面Ｘよりも下方で後方へ開口し、内側ドラム１１内の厨芥物が後方開口部３２から入出口部３１を経て水分の流出に伴い排出される。
【００３４】
その後、第２モータ２５を駆動させ、この第２モータ２５の駆動力を駆動スプロケット２６よりエンドレスチェーン２７を介して従動スプロケット２４に伝達し、前後の軸２１ａ，２１ｂ回り（軸芯ｍ回り）で内側ドラム１１のみを外側ドラム１２に対して所定方向に相対回転させ、この内側ドラム１１の回転作動に伴うブレード３３の回転により、内側ドラム１１内に残る厨芥物を後方開口部３２から入出口部３１を経て外側ドラム１２よりも外方のピットに排出する。このため、厨芥物の排出時に内側ドラム１１の奥の方（前の方）に厨芥物が残ることがなく、内側ドラム１１内から厨芥物を掻き出す手作業を廃止できるとともに、入出口部３１を下側位置に位置付けて厨芥物の排出作業を低所にて安全かつ効率良く行うことができ、厨芥物排出時の作業性の向上を効果的に図ることができる。しかも、外側ドラム１２の入出口部３１が、厨芥物の排出時にのみ下側位置に位置付けられ、それ以外の厨芥物回収時などには上側位置に位置付けられることにより、ドラム後側において上下全域に亘って開口する排出口部をパッキンを介して蓋により閉塞しているもののように、入出口部３１に蓋やパッキンなどを設ける必要がなく、不要な部品点数の増加によるコストアップを招くことがない。
【００３５】
しかる後、外側ドラム１２の蓋７２を外して開口部７１を水平面Ｘよりも下方にて開口させることにより、内側ドラム１１と外側ドラム１２との間隙Ｚ内に後方開口部３２を経て浸入している厨芥物を開口部７１より排出し、この隙間Ｚ内から厨芥物を効果的に除去することができる。次いで、開口部７１よりホース（図示せず）を挿入して水流を吹き付けたり、ブラシ（図示せず）を挿入するなどして、内側ドラム１１の外周面および外側ドラム１２の内周面の清掃を行う。さらに、開口部７１を開口させた状態で、第１モータ１７を駆動させてローラ１４上においてレール１３を介して外側ドラム１２のみを内側ドラム１１に対して相対回転させることにより、開口部７１が軸芯ｍ回りに内側ドラム１１の外周面上を回動し、ホースからの水流またはブラシの届かなかった内側ドラム１１外周面上の未清掃部位にて第１モータ１７を駆動停止させて外側ドラム１２を回転停止することで、この内側ドラム１１外周面上の未清掃部位の清掃を順次行う。
【００３６】
これにより、内側ドラム１１の外周面および外側ドラム１２の内周面の清掃を円滑に行うことができ、衛生上においても非常に有効なものとなる。
【００３７】
また、開口部７１は、入出口部３１を上側位置に位置付ける厨芥物回収時などに水平面Ｘよりも上方に位置するので、この開口部７１周囲と蓋７２との間をシールするパッキンなどの経時的な劣化によって厨芥物中の水分が開口部７１から外側ドラム１２外に漏れ出して路上などに撒き散らされることが確実に防止できる。
【００３８】
尚、上記実施の形態では、開口部７１を外側ドラム１２の周面部左側前後両位置に設けたが、入出口部を上側位置に位置付けた状態で水平面よりも上方において外側ドラムの周面部左右両側の前後両位置に開口部が設けられるようにしても良い。
【００３９】
【発明の効果】
以上の如く、請求項１記載の発明における厨芥物回収車両によれば、ドラムを内外２重の内側および外側ドラムにより構成し、外側ドラムのみの回転により入出口部を上側位置で開口させた状態で、ダストコンテナ反転装置によりダストコンテナ内の厨芥物を入出口部から後方開口部を経て内側ドラム内に投入するので、厨芥物中の水分を外側ドラム外へ漏れ出させずに円滑に貯留できるとともに、多量の厨芥を内側ドラム内に貯留できる。一方、外側ドラムのみの回転により入出口部を下側位置で開口させた状態で、内側ドラム内の厨芥物を内側ドラムと共に回転するブレードにより案内して後方開口部から入出口部を経て外側ドラム外に円滑に排出するので、厨芥物の排出時にドラム内から厨芥物を掻き出す手作業を廃止するとともに、入出口部を下側位置に位置付けて厨芥物の排出作業を低所で安全かつ効率良く行え、厨芥物排出時の作業性の向上を図ることができる。しかも、外側ドラムの入出口部を、厨芥物の排出時にのみ下側位置に位置付け、それ以外の厨芥物回収時などに上側位置に位置付けることにより、入出口部に対する蓋やパッキンなど不要な構成部材を廃止できる。
【００４０】
請求項２記載の発明における厨芥物回収車両によれば、蓋の脱着により開閉する開口部を、入出口部と同じく上側位置に位置付けた際に水平面よりも上方に、下側位置に位置付けた際に水平面よりも下方にそれぞれ位置させるので、開口部を下方にて開口させることで、内側ドラムと外側ドラムとの間に浸入した厨芥物を効果的に除去することができるとともに、開口部を開口させた状態での外側ドラムの回転によって内側ドラムの外周面および外側ドラムの内周面の清掃を円滑に行うことができる。しかも、厨芥物回収時などに開口部周囲と蓋との間のパッキンの経時的な劣化による開口部からの厨芥物中の水分の漏れ出しも確実に防止できる。
【図面の簡単な説明】
【図１】本実施の形態に係るダストコンテナ反転装置を取り外した状態で入出口部を上側位置に位置付けている厨芥物回収車両の背面図である。
【図２】ダストコンテナ反転装置による厨芥物投入状態を示す厨芥物回収車両の左側面図である。
【図３】ダストコンテナ反転装置を取り外した状態で入出口部を下側位置に位置付けている厨芥物回収車両の背面図である。
【図４】厨芥物排出状態を示す厨芥物回収車両の左側面図である。
【図５】左側の支柱を取り外した状態でのダストコンテナ反転装置の左側面図である。
【符号の説明】
１      厨芥物回収車両
２      シャーシフレーム（車体枠）
１１      内側ドラム
１２      外側ドラム
３１      入出口部
３２      後方開口部
３３      ブレード
４１      ダストコンテナ反転装置
７１      開口部
７２      蓋
Ｃ      ダストコンテナ
Ｘ      水平面
ｍ      軸芯
【図１】
0003611422.tif 000002
【図２】
0003611422.tif 000003
【図３】
0003611422.tif 000004
【図４】
0003611422.tif 000005
【図５】
0003611422.tif 000006